(57)【要約】【課題】  被撮影者が撮影画角を確認できない。【解決手段】  前方に光を照射する照射装置を有し、照射装置から照射される光束によって撮影画角の境界を被撮影者が認識できる。【選択図】  図６
2019068369.tif 000002
【特許請求の範囲】
【請求項１】
撮像手段と、
照射光が前記撮像手段による撮影画角の外側を照射する照射手段と、
を有することを特徴とする撮像装置。
【請求項２】
前記照射手段により照射される照射光が床面に当たった場合に、床面に形成される光の境界線が前記撮影画角の水平方向と略同一もしくは大きいことを特徴とする請求項１に記載の撮像装置。
【請求項３】
少なくとも一つの傾き検知手段を備えることを特徴とする請求項１または２に記載の撮像装置。
【請求項４】
前記照射手段による照射範囲を切り替える切り替え手段を備えることを特徴とする請求項１乃至３のいずれか１項に記載の撮像装置。
【発明の詳細な説明】
【技術分野】
【０００１】
本発明は、撮像装置に関する。
【背景技術】
【０００２】
静止画カメラやムービーカメラ等の撮像装置において、撮影範囲を確認するためにファインダーやモニター等が一般的に普及している。また、カメラ前面に投影光学装置を備え、画角範囲に色を付けた光を照射し、被写体である被撮影者が自分に光があたっていることを確認することで撮影範囲内であることを認識させるカメラが提案されている（特許文献１参照）。
【先行技術文献】
【特許文献】
【０００３】
【特許文献１】特開２００６−１０６３８８号公報
【発明の概要】
【発明が解決しようとする課題】
【０００４】
しかしながら、上記した従来の構成では、被写体にそのまま画角確認用の光を照射するため、被撮影者がまぶしく感じるという問題があった。また、被写体に光が当たってしまうため、レリーズ前に光の照射を止める必要があった。また、同様の理由から動画撮影には向いていなかった。
【０００５】
本発明は上記問題点を鑑みてなされたものであり、撮影者、被撮影者、第三者が容易に、かつ撮影中においても、画角内に入っていることを確認できる撮影範囲投影機能付きのカメラを提供することを目的としてなされたものである。
【課題を解決するための手段】
【０００６】
本発明の撮像装置は、撮像手段と、照射光が前記撮像手段による撮影画角の外側を照射する照射手段と、を有することを特徴とする。
【発明の効果】
【０００７】
本発明によれば、撮影画像に影響を与えることなく、被撮影者もしくは第三者が容易に撮影機器の撮影画角を視認できる。
【図面の簡単な説明】
【０００８】
【図１】実施例１の撮像機器の前方斜視図。
【図２】実施例１の撮像機器の内部構造を示す図。
【図３】実施例１の撮像機器の内部構造を示す図。
【図４】照射部の内部構造を示す図。
【図５】照射駆動部の分解図。
【図６】撮影状態の上面図。
【図７】撮影状態の側面図。
【図８】撮影状態の斜視図。
【図９】撮影状態の斜視図。
【図１０】照射駆動の制御フロー図。
【図１１】撮影状態の側面図。
【図１２】内部構造の側面図。
【図１３】実施例２の撮像機器の底面の斜視図。
【図１４】実施例２の撮像機器の内部構造の斜視図。
【図１５】実施例２の撮像機器の照射部の回動構造の斜視図。
【図１６】実施例２の撮像機器の内部構造の下面図。
【図１７】実施例２の撮像機器の内部構造の下面図。
【図１８】実施例２の撮像機器の上面図。
【図１９】実施例２の撮像機器の前方斜視図。
【図２０】実施例１において本体の傾きと照射部の傾きを合わせた時の撮影状態を示す図。
【図２１】レバーの外観図。
【図２２】実施例２の撮像機器の内部を示す図。
【図２３】実施例１で上方時の本体背面から見た状態を示す図。
【発明を実施するための形態】
【０００９】
〔実施例１〕
以下、本発明の実施例１に係る撮影範囲投影機能付きカメラについて、図を参照して説明する。図１に示すビデオカメラ本体１（以下、本体１）は、本体１を被写体からみて右側をＲ側、左側をＬ側とする。
【００１０】
点線Ｐは、ビデオカメラにおけるレンズ部２の光軸である。本体１の前面にはレンズ部２と、前面下部のＬ側に光照射窓１０、Ｒ側に光照射窓１１を備えている。光照射窓１０と光照射窓１１はともに光透過性の高い透明部材である。
【００１１】
図２と図３に本体１の内部構造を示す。レンズ部２の後方には図示しない撮像素子を実装した撮像基板１０４が固定されている。撮像基板１０４にはコネクタ１０７が実装されている。被写体像はレンズ部２を通して撮像素子の受光面に結像される。
【００１２】
レンズ部２の後方には底面と平行に記録制御基板３０１が配置されている。記録制御基板３０１にはコネクタ３０３が実装されており、フレキシブルケーブル１０５でコネクタ３０３とコネクタ１０７を電気的に接続する。記録制御基板３０１は撮影画像の記録及び、本体動作の制御を行っている。
【００１３】
前述の受光面に結像した被写体像は撮像素子で画像データに変換された後、撮像基板１０４から記録制御基板３０１へ出力され、画像処理と記録がなされる。レンズ部２のＲ側には傾斜センサー１０２を実装した検出基板１０１が固定されている。
【００１４】
検出基板１０１の後端にはコネクタ１０６が実装されている。記録制御基板３０１にはコネクタ３０２が実装されている。フレキシブルケーブル１０３がコネクタ１０６とコネクタ３０２に接続されることで、検出基板１０１と記録制御基板３０１が電気的に接続される。傾斜センサー１０２によって、本体１の鉛直方向の傾きを記録制御基板３０１に出力することが可能となる。
【００１５】
図４に照射部２０１を示す。照射部２０１の前面は光透過性の高い照射窓２０８を備えており、照射部２０１の内部にはたとえばＬＥＤのような発光素子２１２が配設されている。照射窓２０８は上下方向に細長く、照射部２０１は扁平な箱形状をしている。
【００１６】
さらに発光素子２１２は反射板２１３により四方を囲う形で覆われている。図４に示すように四方の壁は前面に向けて拡がった傾斜面となっている。この傾斜面により発光素子２１２から照射された光は角錐状となり、図６、図７、図８に示す照射光１４となり、図２、図３の光照射窓１１から外部に照射される。
【００１７】
図５に照射駆動部２００を示す。照射部２０１の後端の中央部にはＤカット形状の穴２０５を備えている。ギヤ２０３には穴２０５と略同一断面を有する軸２０６を備えており、軸２０６は穴２０５に圧嵌されている。ギヤ２０３はギヤ２０７が歯合されており、ギヤ２０７は駆動モーター２０２の軸に圧嵌されており、駆動モーターを動かすことで照射部２０１は穴２０５を中心に回動させることができる。さらに照射部２０１の内部には傾斜センサー２０９が固定され、照射部２０１の傾きを検知可能である。レンズ部２を挟んでＬ側に配置される照射駆動部４００も同様の構成となっている。
【００１８】
図６から図９は被撮影者５０を撮影している図である。図６は上面図、図７はＲ側からの側面図、図８、図９は斜視図である。撮影時の画角と照射範囲について、図６、図７、図８、図９を用いて説明する。本実施例では、本体１は台座１５に載置されている。台座１５は安定して被写体像を撮影できれば三脚でもかまわない。また、本体１は机の上や床面に置かれた状態で使用してもかまわない。
【００１９】
図６において、ビデオカメラの撮影画角が境界６０と境界６１で示される。境界１３１は、Ｌ側の光照射窓１０から照射される照射光１３における光軸Ｐに近い光境界線である。また、境界１４１は、Ｒ側の光照射窓１１から照射される照射光１４における光軸Ｐに近い光境界線である。境界６０に対して境界１３１は略平行で、同一もしくは光軸Ｐに対して若干外側に位置している。同様に境界６１に対して境界１４１も略平行で、同一もしくは光軸Ｐに対して若干外側に位置している。
【００２０】
図７および図８に示すように、照射光１４は本体１からある程度進んだところで床面に到達するように制御される。図６、図７、図８に示す照射範囲１４０は、照射光１４が床面を照らす領域を示しており、被撮影者５０が床面の照射範囲１４０を視認することにより、Ｒ側の撮影範囲を示す境界１４１を認識可能となる。Ｌ側についても同様に、被撮影者５０が床面の照射範囲１３０を視認することにより、Ｌ側の撮影範囲を示す境界１３１を認識可能となる。すなわち、被撮影者５０が撮影画角に含まれる撮影範囲を認識可能となる。
【００２１】
図１０に照射部駆動の制御フローを示す。
【００２２】
Ｓ１において、傾斜センサー１０２の出力に基づいてレンズ部２の傾き情報、すなわち本体１の傾き情報を得る。
【００２３】
Ｓ２において、判別部が取得された本体１の傾きを、あらかじめ規定されている閾値と比較する。ここで、本体１に対して照射部２０１の回動角には限界があるため、その状態における照射光の角度から算出される照射光１４が床面を照らすために必要な本体１の傾きの値があらかじめ規定された閾値として記憶されている。
【００２４】
たとえば被写体が高いステージ上にある場合の撮影などにおいて、ビデオカメラを本体１の側面から見た状態を図２３に示す。図２３のように本体１は台座１６の上に置かれ、大きく斜め上方を向いている。このような状況では、本体の傾きの値は前述のあらかじめ規定された閾値以上になる。
【００２５】
本体１の傾きが閾値よりも大きいと判断された場合、照射光１３、１４が床面を照射できないと判断し、Ｓ３において照射部の傾き情報を取得し、照射光の照射方向を光軸方向と合わせるように制御する。そして、Ｓ４およびＳ５において、駆動制御部は、本体１の光軸Ｐと照射部２０１の光軸Ｑが鉛直方向において略平行になるように照射部２０１の角度位置を移動させる。
【００２６】
図２０は、照射部２０１の角度位置を移動させたビデオカメラを本体１の背面から見た状態を示す図である。図２０に示すように、ビデオカメラの撮影画角１５２の左右端の外側にＲ側の光照射窓１１から照射される照射光１４による照射面１５０と、Ｌ側の光照射窓１０から照射される照射光１３による照射面１５１が照射される。そして、第三者や撮影者は、ファインダーが無くても横方向の撮影範囲を把握することができる。
【００２７】
次に、Ｓ２において、本体１の傾きが閾値以下であると判断された場合、Ｓ３において照射部の傾き情報を取得し、照射光１３、１４が床面を照射するように制御する。そして、Ｓ４およびＳ５において、駆動制御部は、照射光１３、１４が床面を照射するように制御する。たとえば、図１１、図１２に示すように、本体１が若干上方向を向いている状態で、照射部２０１が水平に向いている場合に、このような制御を行う。
【００２８】
以上の形態により、被撮影者、撮影者、第三者は横方向の撮影範囲である撮影画角を視覚的に確認することができる。
【００２９】
なお、本実施例では一例として台座１５もしくは台座１６に本体１を載置しているが、前述したように床面に直接載置してもよいし、三脚に取り付けて撮影してもよい。もちろん、撮影者が手に持っていてもよい。
【００３０】
また、本実施例では複数の傾きセンサーを備えているが、一つの傾きセンサーで本体１のみの傾きを検知して照射部を光軸と合わせるか、下向きにするかを制御してもかまわない。
【００３１】
〔実施例２〕
次に、本発明の実施例２に係る撮像装置について説明する。なお、この実施例２においては、実施例１における構成要素と同一の部分に関しては、同一の符号を付し、その説明を省略する。また、内部の説明はＲ側の構成について行うが、Ｌ側に関しても光軸Ｐを挟んで面対称の機構となっている。したがって本説明の中ではＬ側の説明は省略する。実施例２が実施例１と異なる点は、照射範囲を水平方向にも回動可能としている点である。
【００３２】
図１９は、本体１の前方斜視図である。本体１の前面におけるレンズ部２の下方には、照射窓５１５が固定されている。照射窓５１５は、光透過性の高い透明部材で形成されている。照射窓５１５の両端には、被写体に対して若干の角度を持たせた面５１５ａと面５１５ｃが設けられ、正面には光軸Ｐと直交した面５１５ｂが設けられている。
【００３３】
図１３は、本体１を底面からみた斜視図である。本体１の底面には、矩形状の凹面６０１と凹面６０１より若干小さい矩形状の穴６０２が設けられている。穴６２０からは後ほど説明するノブ７２１が突出している。
【００３４】
図２１はレバー７００を示す図である。レバー７００は略Ｔ字状の形状で、腕部の両端に矩形状の穴７１０を有している。腕部の略中央から下側に伸びた端部付近に円柱状のノブ７２１を備えている。
【００３５】
図１４、図２２は、本体１の内部に設けられた照射機の水平方向の回動機構部分の斜視図である。照射駆動部２００全体が回動シャーシ５２０により保持されている。具体的には、軸５２４と駆動モーター２０２が回動シャーシ５２０に固定されている。
【００３６】
図１５に示すように、回動シャーシ５２０の底面には、回動軸５２２とピン５２１が形成されている。
【００３７】
図１６は、照射部２０１が外側を向いた状態を示し、図１７は、照射部２０１が正面を向いた状態を示す。穴７１０にはピン５２１が遊貫されている。回動軸５２２は図示しない軸受けに枢支されている。したがってノブ７２１を図１６、図１７における上下に動かすことにより、回動シャーシ５２０は回動軸５２２を中心に回動する。
【００３８】
上記の構成により、図１３における底面の凹部６０１にあるノブ７２１を操作することで照射部２０１を動かすことが可能となっている。
【００３９】
図１６の位置では、図６のように被撮影者が撮影画角を認識可能なモードとなり、図１７の位置では、図１８に示すように、照射光１３と照射光１４が中央に寄ることで暗所での撮影の際に被写体照明として使用することが可能となる。
【００４０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４１】
１  本体
２  レンズ部
１０  光照射窓
１１  光照射窓
１３  照射光
１４  照射光
【図１】
2019068369.tif 000003
【図２】
2019068369.tif 000004
【図３】
2019068369.tif 000005
【図４】
2019068369.tif 000006
【図５】
2019068369.tif 000007
【図６】
2019068369.tif 000008
【図７】
2019068369.tif 000009
【図８】
2019068369.tif 000010
【図９】
2019068369.tif 000011
【図１０】
2019068369.tif 000012
【図１１】
2019068369.tif 000013
【図１２】
2019068369.tif 000014
【図１３】
2019068369.tif 000015
【図１４】
2019068369.tif 000016
【図１５】
2019068369.tif 000017
【図１６】
2019068369.tif 000018
【図１７】
2019068369.tif 000019
【図１８】
2019068369.tif 000020
【図１９】
2019068369.tif 000021
【図２０】
2019068369.tif 000022
【図２１】
2019068369.tif 000023
【図２２】
2019068369.tif 000024
【図２３】
2019068369.tif 000025